(57)【要約】【課題】  噴孔開閉弁の作動に必要とされる駆動力を充分に確保しつつ電磁手段の小型化が可能な電磁式燃料噴射弁を提供する。【解決手段】  噴孔１を有するノズル本体２と、該ノズル本体２内に配設されて上記噴孔１を開閉する噴孔開閉弁４と、該噴孔開閉弁４を閉弁するように付勢する付勢手段６と、上記噴孔開閉弁４に一体的に設けられたアーマチャ５と、該アーマチャ５に電磁力を作用させて上記噴孔開閉弁４を開弁する電磁手段７とを備えた電磁式燃料噴射弁において、上記アーマチャ５を永久磁石から構成し、上記電磁手段７に通電した際に生ずる反発力を利用して上記噴孔開閉弁４を開弁するように構成したことを特徴とする電磁式燃料噴射弁１００が提供される。【選択図】      図１
2005299540.tif 000002
【特許請求の範囲】
【請求項１】
噴孔を有するノズル本体と、該ノズル本体内に配設されて上記噴孔を開閉する噴孔開閉弁と、該噴孔開閉弁を閉弁するように付勢する付勢手段と、上記噴孔開閉弁に一体的に設けられたアーマチャと、該アーマチャに電磁力を作用させて上記噴孔開閉弁を開弁する電磁手段とを備えた電磁式燃料噴射弁において、
上記アーマチャを永久磁石から構成し、上記電磁手段に通電した際に生ずる反発力を利用して上記噴孔開閉弁を開弁するように構成したことを特徴とする電磁式燃料噴射弁。
【請求項２】
上記電磁手段を上記アーマチャに対して上記噴孔側に配設したことを特徴とする請求項１に記載の電磁式燃料噴射弁。
【請求項３】
上記噴孔開閉弁の動作速度及びリフト量の一方または両方を制御すべく、上記電磁手段への通電量及び通電方向の一方または両方が制御されることを特徴とする請求項１または２に記載の電磁式燃料噴射弁。
【請求項４】
上記噴孔開閉弁のリフト量が予め定めた最大リフト量に達した時に上記アーマチャと当接するようにストッパが設けられており、該ストッパが強磁性体を含んで構成されていることを特徴とする請求項１から３の何れか一項に記載の電磁式燃料噴射弁。
【請求項５】
上記電磁手段に通電した際に生ずる反発力の大きさに応じて上記噴孔開閉弁の最大リフト量が定まるように構成されていることを特徴とする請求項１から３の何れか一項に記載の電磁式燃料噴射弁。
【発明の詳細な説明】
【技術分野】
【０００１】
本発明は電磁式燃料噴射弁に関する。
【背景技術】
【０００２】
スプリング等の付勢手段による付勢力によって閉弁されている噴孔開閉弁（例えば、ニードル弁）を電磁手段（例えば、ソレノイド）による吸引力によって開弁させて燃料噴射を行なうようにした電磁式燃料噴射弁が公知である。そして、このような電磁式燃料噴射弁においては従来より、上記電磁手段による吸引力が不足して弁の開閉動作が適切に行なえないという問題があった。
【０００３】
このような問題に対し、例えば特許文献１では、電磁手段であるソレノイドを上記噴孔開閉弁を構成する部材の上下二箇所に配設することで、上記吸引力の不足を解消しようとしている。
【０００４】
【特許文献１】特開２００３−２５４１８９号公報
【特許文献２】特開昭６３−２８９２５６号公報
【特許文献３】特公平５−３１６６６号公報
【発明の開示】
【発明が解決しようとする課題】
【０００５】
しかしながら、上記のような電磁式燃料噴射弁においては、通常、その噴孔開閉弁の開弁動作の初期に必要駆動力が最大となるのに対し、その駆動力となる電磁手段（例えば、ソレノイド）により作用せしめられる吸引力は開弁動作の初期において最小となる。このため、充分な駆動力（この場合には吸引力）を得るためには電磁手段を大型化する必要があり、これによって製造コストの上昇を招く恐れがある。
【０００６】
本発明は、上記のような点に鑑みてなされたものであり、その目的は、噴孔開閉弁の作動に必要とされる駆動力を充分に確保しつつ、電磁手段の小型化が可能な電磁式燃料噴射弁を提供することである。
【課題を解決するための手段】
【０００７】
本発明は、上記課題を解決するための手段として、特許請求の範囲の各請求項に記載された電磁式燃料噴射弁を提供する。
【０００８】
１番目の発明は、噴孔を有するノズル本体と、該ノズル本体内に配設されて上記噴孔を開閉する噴孔開閉弁と、該噴孔開閉弁を閉弁するように付勢する付勢手段と、上記噴孔開閉弁に一体的に設けられたアーマチャと、該アーマチャに電磁力を作用させて上記噴孔開閉弁を開弁する電磁手段とを備えた電磁式燃料噴射弁において、上記アーマチャを永久磁石から構成し、上記電磁手段に通電した際に生ずる反発力を利用して上記噴孔開閉弁を開弁するように構成したことを特徴とする電磁式燃料噴射弁を提供する。
また、２番目の発明は１番目の発明において、上記電磁手段を上記アーマチャに対して上記噴孔側に配設したことを特徴とする。
【０００９】
上記噴孔開閉弁を開弁する際に必要となる駆動力は、通常、開弁動作の初期に最大となる。一方、従来の電磁式燃料噴射弁では、この駆動力として電磁手段によりアーマチャに作用せしめられる吸引力を利用しているが、この吸引力は開弁動作の初期には、電磁手段とアーマチャとの距離が大きいこと等から最小となる。このため従来は、充分な駆動力（この場合には吸引力）を得るためには電磁手段を大型化する必要があり、これによって製造コストの上昇を招く恐れがあった。
【００１０】
これに対し、１番目または２番目の発明では、上記駆動力として、上記電磁手段に通電した際に永久磁石から構成された上記アーマチャとの間に生ずる反発力を利用している。そしてこのようにすると、上記噴孔開閉弁を開弁するのに必要な駆動力が最大となる開弁動作の初期において、その駆動力（この場合には反発力）を最大とすることができる。そしてこの結果、比較的小型の電磁手段を用いても上記噴孔開閉弁の作動に必要とされる駆動力を充分に得ることができる。つまり、１番目また２番目の発明によれば、噴孔開閉弁の作動に必要とされる駆動力を充分に確保しつつ電磁手段の小型化が可能な電磁式燃料噴射弁が提供される。
【００１１】
３番目の発明は、１番目または２番目の発明において、上記噴孔開閉弁の動作速度及びリフト量の一方または両方を制御すべく、上記電磁手段への通電量及び通電方向の一方または両方が制御されることを特徴とする。
【００１２】
３番目の発明によれば、例えば、上記噴孔開閉弁に閉弁動作を行なわせる時に、上記電磁手段を流れる電流の向きを開弁する時と逆向きにし、上記アーマチャに対して吸引力を作用させ、閉弁速度を高めるようにすることができる。また、上記電磁手段への通電量を制御して上記反発力を調整し、上記噴孔開閉弁のリフト量を制御して燃料噴射の噴射率を制御することもできる。
【００１３】
更に、上記噴孔開閉弁を開弁した時に上記アーマチャが上記ノズル本体の内面等に当接する（すなわち、上記噴孔開閉弁がフルリフトする）直前等に、上記噴孔開閉弁の動作速度が低くなるように上記電磁手段への通電量等を制御するようにしてもよい。このようにすると、上記アーマチャが上記ノズル本体に勢いよく衝突して跳ね返ることが抑制されるので、このような跳ね返り（バウンス）に起因して生ずる燃料噴射量の目標噴射量からのずれが抑制され、燃料噴射量の制御性の改善を図ることができる。
【００１４】
４番目の発明は、１番目から３番目の何れかの発明において、上記噴孔開閉弁のリフト量が予め定めた最大リフト量に達した時に上記アーマチャと当接するようにストッパが設けられており、該ストッパが強磁性体を含んで構成されていることを特徴とする。
【００１５】
４番目の発明では、噴孔開閉弁のリフト量が予め定めた最大リフト量に達した時に永久磁石で構成された上記アーマチャが強磁性体を含んで構成されたストッパに当接するように構成されている。つまり、この場合、上記噴孔開閉弁がフルリフトするということは上記アーマチャが上記ストッパに当接することであり、この時上記アーマチャはその磁力でストッパに吸着することになる。そしてこれによって、上述したようなフルリフト時の跳ね返り（バウンス）の発生が抑制され、燃料噴射量の制御性の悪化を抑制することができる。
【００１６】
５番目の発明は、１番目から３番目の何れかの発明において、上記電磁手段に通電した際に生ずる反発力の大きさに応じて上記噴孔開閉弁の最大リフト量が定まるように構成されていることを特徴とする。
【００１７】
５番目の発明では、上記噴孔開閉弁の最大リフト量が、上記アーマチャが上記ノズル本体等に当接することによってではなく、上記電磁手段に通電した際に生じる反発力の大きさに応じて定まるようになっている。つまり、５番目の発明では、上記噴孔開閉弁が開弁した時に上記アーマチャが上記ノズル本体等に当接することがないように、すなわち上記噴孔開閉弁がフルリフトすることが無いようにされている。そしてこれにより、上述したようなフルリフト時の跳ね返り（バウンス）の発生に起因する燃料噴射量の制御性の悪化という問題を解消することができる。
【発明の効果】
【００１８】
各請求項に記載の発明によれば、噴孔開閉弁の作動に必要とされる駆動力を充分に確保しつつ電磁手段の小型化が可能な電磁式燃料噴射弁が提供される。
【発明を実施するための最良の形態】
【００１９】
以下、添付図面を参照しつつ本発明の実施形態について説明する。
図１及び図２は、本発明の一実施形態の電磁式燃料噴射弁１００の略示断面側面図であって、図１が燃料の噴射されないモードである不噴射モードにある場合を示し、図２が燃料の噴射されるモードである噴射モードにある場合を示している。図１及び図２に示されているように、本実施形態の電磁式燃料噴射弁１００は、燃料を噴射するための噴孔１が設けられている第一部分ノズル本体２ａと、燃料供給管（図示なし）に連結され当該電磁式燃料噴射弁１００にて噴射される燃料が導入される燃料導入口３が設けられている第二部分ノズル本体２ｂとを有している。この第一部分ノズル本体２ａと第二部分ノズル本体２ｂとでノズル本体２が構成される。
【００２０】
上記ノズル本体２内には、噴孔１を開閉するための噴孔開閉弁を構成するニードル弁４が配設されている。ニードル弁４には円板状部材であるアーマチャ５が一体的に設けられている。本実施形態の電磁式燃料噴射弁１００では、このアーマチャ５が永久磁石で構成されている。また、図１及び図２に示されているように、上記アーマチャ５と上記第二ノズル部分本体２ｂとの間には付勢手段であるスプリング６が配設されており、これによってニードル弁４が閉弁する方向（すなわち、図１及び図２において下側）に付勢されている。更に、上記アーマチャ５に対して上記噴孔１側の位置には電磁手段であるソレノイド７が配設されている。ソレノイド７は通電されることによって磁界を発生し、上記アーマチャ５に電磁力を作用させる。
【００２１】
本実施形態の電磁式燃料噴射弁１００では、上記第二部分ノズル本体２ｂに設けられた燃料通路８と、上記アーマチャ５が配設されているアーマチャ室９と、上記第一部分ノズル本体２ａに設けられた燃料通路１０とが、上記燃料導入口３から導入された加圧燃料によって満たされている。
【００２２】
そして、図１に示されている不噴射モードにおいては、上記ソレノイド７には通電が行なわれず、上記ニードル弁４は上記スプリング６によって付勢され、その付勢力によって閉弁されている。すなわち、上記スプリング６の付勢力によって上記ニードル弁４のシール面４ａが第一部分ノズル本体２ａの内面に設けられた座面１１に着座せしめられて閉弁され、燃料噴射が行なわれないようにされている。
【００２３】
一方、図２に示されている噴射モードにおいては、上記ソレノイド７に、その発生する磁界によって永久磁石で構成された上記アーマチャ５との間で反発力が生じる向きの電流が流され、その反発力によって上記スプリング６の付勢力と、ニードル弁４及びそれと一体に構成されているアーマチャ５（以下、「ニードル弁４等」という）に作用する油圧力とに抗してニードル弁４が開弁され、燃料噴射が実施される。なお、以上の説明からも明らかなように、上記噴射モードにおいて、上記ソレノイド７への通電を停止すれば、上記スプリング６の付勢力によってニードル弁４が閉弁され、燃料噴射が停止される。
【００２４】
そして本実施形態の電磁式燃料噴射弁１００は、上述したような構成を有し、また上述したように作動することにより、従来の電磁式燃料噴射弁に比べて噴孔開閉弁であるニードル弁の作動に必要とされる駆動力を充分に得ることができ、その結果電磁手段であるソレノイドの小型化が可能であるという利点を有している。
【００２５】
すなわち、従来の電磁式燃料噴射弁は、典型的には図６のような構成を有している。図６は典型的な従来の電磁式燃料噴射弁４００の略示断面側面図であって、燃料の噴射されないモードである不噴射モードにある場合を示している。なお、図６において、図１及び図２に示した参照番号と同一の参照番号は図１及び図２に示した部品または部分と同一もしくは対応する部品または部分を示している。
【００２６】
図６に示されているように、従来の電磁式燃料噴射弁４００では、電磁手段であるソレノイド７がアーマチャ２５に対して噴孔１と反対側の位置に配設されている。また、このアーマチャ２５は、例えば鉄等の強磁性体の材料から構成されている。そしてこのような構成において、ソレノイド７に通電することによってアーマチャ２５に対して吸引力を作用させ、スプリング６の付勢力等に抗してニードル弁４を開弁して燃料噴射を行なうようになっている。
【００２７】
ところが、このような構成及び作動方式によると、ソレノイド７による吸引力が不足して弁の開閉動作が適切に行なえない場合がある。
すなわち、図１及び図２、並びに図６に示されたような電磁式燃料噴射弁において、ニードル弁４を開弁する場合には、上記スプリング６の付勢力と、ニードル弁４等に作用する油圧力とに抗してニードル弁４等を移動させる必要がある。ここで、このニードル弁４等に作用する油圧力は、ニードル弁４を閉弁する方向に作用しており、ニードル弁４が閉弁されている場合に最大となっている。これは、ニードル弁４が閉弁されている場合には、ニードル弁４のシール面４ａより先端側の部分には油圧力が作用しないため、その分だけニードル弁４を閉弁させる向きの油圧力が大きくなるためである。したがって、この油圧力は、ニードル弁４を開弁しリフト量が大きくなるにつれて次第に小さくなる。
【００２８】
そして、以上のことと、上記スプリング６による付勢力の大きさは一定であることとを考慮すると、ニードル弁４を開弁するのに必要な駆動力ＲＰとニードル弁４のリフト量Ｌ（開閉状態）との関係は図７のようになっていると考えられる。つまり、上記必要駆動力ＲＰは上記ニードル弁４の開弁動作の初期（すなわち、開始時）に最大となる。
【００２９】
一方、従来の電磁式燃料噴射弁４００において上記駆動力となるソレノイド７により作用せしめられる吸引力について見てみると、上記開弁動作の初期には上記アーマチャ２５と上記ソレノイド７との距離が最大であるために、上記吸引力は最小となる。つまり、図６に示したような従来の電磁式燃料噴射弁４００においては、上記必要駆動力が最大となる開弁動作の初期には、その駆動力となる上記吸引力は最小となってしまうのである。そしてこのために、ソレノイド７による吸引力が不足して弁の開閉動作が適切に行なえない場合が生じる。また、このような従来の電磁式燃料噴射弁４００において充分な駆動力（この場合には吸引力）を確保しようとすると、電磁手段であるソレノイド７を大型化する必要があり、これによって製造コストの上昇を招く恐れがある。
【００３０】
これに対し、図１及び図２に示した本実施形態の電磁式燃料噴射弁１００においては、上述したように、上記ソレノイド７に通電することにより永久磁石で構成された上記アーマチャ５との間で生ずる反発力を利用してニードル弁４を開弁し、燃料噴射を行なうようになっている。そして図１及び図２に示したように電磁式燃料噴射弁１００の構成においては、上記ニードル弁４の開弁動作の初期に上記アーマチャ５と上記ソレノイド７との距離が最小になっており、したがって、この時に発生する上記反発力は最大となる。すなわち、この電磁式燃料噴射弁１００においては、ニードル弁４を開弁するのに必要な駆動力が最大となる開弁動作の初期において、その駆動力となる上記反発力が最大となるようになっている。
【００３１】
そしてその結果、本実施形態の電磁式燃料噴射弁１００では比較的小型のソレノイド７を用いてもニードル弁４の作動に必要とされる駆動力を充分に得ることができる。つまり、本実施形態の電磁式燃料噴射弁１００によれば、ニードル弁４の作動に必要とされる駆動力を充分に確保しつつソレノイド７の小型化が可能である。
【００３２】
また、本実施形態の電磁式燃料噴射弁１００においては、上記ニードル弁４の動作速度及びリフト量の一方または両方を制御すべく、上記ソレノイド７への通電量及び通電方向の一方または両方を制御するようにしてもよい。すなわち、例えば、上記ニードル弁４に閉弁動作を行なわせる時に、ソレノイド７を流れる電流の向きを開弁する時と逆向きにし、上記アーマチャ５に対して吸引力を作用させ、閉弁速度を高めるようにしてもよい。あるいは、上記ソレノイド７への通電量を制御して上記反発力を調整し、ニードル弁４のリフト量を制御して燃料噴射の噴射率を制御するようにしてもよい。
【００３３】
更に、上記ニードル弁４を開弁した時にアーマチャ５がアーマチャ室９の上面（すなわち、ここでは第二部分ノズル本体２ｂ）に当接する（すなわち、ニードル弁４が「フルリフト」する）直前、もしくは上記ニードル弁４を閉弁する場合に上記ニードル弁４のシール面４ａが上記座面１１に着座せしめられる直前に、上記ニードル弁４の動作速度が低くなるように上記ソレノイド７への通電量等を制御するようにしてもよい。このようにすると、アーマチャ５がアーマチャ室９の上面に、もしくは上記ニードル弁４のシール面４ａが上記座面１１に勢いよく衝突して跳ね返ることが抑制されるので、このような跳ね返り（以下、「バウンス」という）に起因して生ずる燃料噴射量の目標噴射量からのずれが抑制され、燃料噴射量の制御性の改善を図ることができる。
【００３４】
ここで、上述のバウンスの発生と燃料噴射量の制御性との関係について、簡単に説明しておく。すなわち、上記バウンスが発生すると燃料噴射量が目標噴射量からずれ、燃料噴射量の制御性が悪化する場合があるが、これは例えば、バウンスの発生によりニードル弁４の閉弁速度が加速され、想定よりも早くニードル弁４が閉弁して実際の燃料噴射量が目標噴射量よりも少なくなってしまうことに起因する。
【００３５】
図３は、このことを説明するための図であり、各曲線はニードル弁４のリフト量Ｌの経時変化を示し、各曲線の下の面積がその時の燃料噴射量に相当する。図３から、ニードル弁４がフルリフトＦＬして直ぐに閉弁するようにソレノイド７が通電された場合（通電時間ｔ２の場合）には、バウンスによりニードル弁４の閉弁速度が加速され、想定よりも早くニードル弁４が閉弁して実際の燃料噴射量が目標噴射量よりも少なくなってしまうことがわかる（図３中に斜線で示された部分の分だけ少なくなってしまう）。そして、このようなことが起きると、ソレノイド７への通電時間と燃料噴射量との間にある線形的な関係が崩れ、燃料噴射量の制御性が悪化してしまうことになるのである。
【００３６】
次に本発明の別の実施形態について説明する。図４はこの実施形態の電磁式燃料噴射弁２００の略示断面側面図であり、電磁式燃料噴射弁２００が、燃料が噴射されないモードである不噴射モードにある場合を示している。なお、図４において、図１及び図２に示した参照番号と同一の参照番号は図１及び図２に示した部品または部分と同一もしくは対応する部品または部分を示している。
【００３７】
本実施形態の電磁式燃料噴射弁２００と上述した電磁式燃料噴射弁１００とは、その構成及び作動、並びに作用効果について共通する部分を多く有しており、これら共通する部分については原則として説明を省略する。電磁式燃料噴射弁２００の構成と電磁式燃料噴射弁１００の構成とを比較すると、本実施形態の電磁式燃料噴射弁２００には、ストッパ１５が設けられている点で異なっている。より詳細には、このストッパ１５は、鉄等の強磁性体の材料から構成され、ニードル弁４のリフト量が予め定めた最大リフト量に達した時に永久磁石で構成されたアーマチャ５と当接するように設けられている。つまり、ニードル弁４がフルリフトした時にアーマチャ５が上記ストッパ１５と当接する。
【００３８】
このような構成とすることで、本実施形態の電磁式燃料噴射弁２００によれば、ニードル弁４がフルリフトした時におけるバウンスの発生を抑制することができる。つまり本実施形態の電磁式燃料噴射弁２００では、アーマチャ５が永久磁石で構成され、ニードル弁４のフルリフト時にそのアーマチャ５が当接する上記ストッパ１５が鉄等の強磁性体の材料で構成されているので、ニードル弁４がフルリフトした時にはアーマチャ５がその磁力でストッパ１５に吸着することになる。そしてこれによって、バウンスの発生が抑制され、燃料噴射量の制御性の悪化を抑制することができる。
【００３９】
なお、本実施形態の電磁式燃料噴射弁２００においては、上記ストッパ１５の上記アーマチャに面する面積を調整することによって、ニードル弁４が良好に動作できるように、アーマチャ５の磁力による吸着力と、スプリング６の閉弁方向への付勢力とのバランスを適切に調節することが好ましい。また、本実施形態の電磁式燃料噴射弁２００においてニードル弁４を閉弁する時には、上記ソレノイド７への通電量及び通電方向の一方または両方を制御して、上記アーマチャ５に対して吸引力を作用させるようにするのが好ましい。
【００４０】
次に本発明の更に別の実施形態について説明する。図５はこの実施形態の電磁式燃料噴射弁３００の略示断面側面図であり、電磁式燃料噴射弁３００が、燃料が噴射されないモードである不噴射モードにある場合を示している。なお、図５において、図１及び図２に示した参照番号と同一の参照番号は図１及び図２に示した部品または部分と同一もしくは対応する部品または部分を示している。
【００４１】
本実施形態の電磁式燃料噴射弁３００についても、上述した電磁式燃料噴射弁１００とその構成及び作動、並びに作用効果について多くの共通する部分を有しており、これら共通する部分については原則として説明を省略する。電磁式燃料噴射弁３００の構成と電磁式燃料噴射弁１００の構成とを比較すると、本実施形態の電磁式燃料噴射弁３００では、ニードル弁４の閉弁時におけるアーマチャ５とアーマチャ室９の上面（すなわち、ここでは第二部分ノズル本体２ｂ）との距離Ｄがより大きくされている点で異なっている。より詳細には、この距離Ｄは、ニードル弁４を開弁すべくソレノイド７に通電した時に、アーマチャ５がアーマチャ室９の上面に当接しない（すなわち、ニードル弁４がフルリフトしない）ようにするのに充分な距離とされる。つまり、本実施形態の電磁式燃料噴射弁３００においては、ニードル弁４の最大リフト量が、アーマチャ５がアーマチャ室９の上面（第二部分ノズル本体２ｂやストッパ１５等）に当接することによってではなく、ソレノイド７に通電した際に生じる反発力の大きさに応じて定まるようになっている。
【００４２】
そして、このような構成とすることで、本実施形態の電磁式燃料噴射弁３００によれば、ニードル弁４がフルリフトすることが無くなるので、上述したようなフルリフト時のバウンスの発生に起因する燃料噴射量の制御性の悪化という問題を解消することができる。
【図面の簡単な説明】
【００４３】
【図１】図１は、本発明の一実施形態の電磁式燃料噴射弁の略示断面側面図であって、同電磁式燃料噴射弁が燃料の噴射されないモードである不噴射モードにある場合を示している。
【図２】図２は、図１の電磁式燃料噴射弁が燃料の噴射されるモードである噴射モードにある場合を示している図１と同様の図である。
【図３】図３は、フルリフトした時に生ずるバウンスの影響を説明するための図である。
【図４】図４は、本発明の他の実施形態の電磁式燃料噴射弁の略示断面側面図であって、同電磁式燃料噴射弁が燃料の噴射されないモードである不噴射モードにある場合を示している。
【図５】図５は、本発明の更に他の実施形態の電磁式燃料噴射弁の略示断面側面図であって、同電磁式燃料噴射弁が燃料の噴射されないモードである不噴射モードにある場合を示している。
【図６】図６は、典型的な従来の電磁式燃料噴射弁の略示断面側面図であって、同電磁式燃料噴射弁が燃料の噴射されないモードである不噴射モードにある場合を示している。
【図７】図７は、開弁するのに必要な駆動力とリフト量（開閉状態）との関係を示した図である。
【符号の説明】
【００４４】
１…噴孔
２ａ…第一部分ノズル本体
２ｂ…第二部分ノズル本体
２…ノズル本体
３…燃料導入口
４…ニードル弁（噴孔開閉弁）
５…アーマチャ
６…スプリング
７…ソレノイド
９…アーマチャ室
１５…ストッパ
【図１】
2005299540.tif 000003
【図２】
2005299540.tif 000004
【図３】
2005299540.tif 000005
【図４】
2005299540.tif 000006
【図５】
2005299540.tif 000007
【図６】
2005299540.tif 000008
【図７】
2005299540.tif 000009